(57)【要約】【課題】写真プリントシステムにおいて、背景の光演出効果を高める。【解決手段】写真プリントシステム１０は、利用者Ｕを撮影してプリントする画像を取得する撮影装置１５と、撮影装置１５から見て利用者Ｕの後方に設けられ、撮影装置１５へ光を反射する背景光反射装置７３とを備える。これにより、背景光反射装置７３による反射光を被写体である利用者Ｕの背景として撮影できる。よって、背景の光演出効果を高めることができる。【選択図】  図１
2004219670.tif 000002
【特許請求の範囲】
【請求項１】
被写体を撮影した画像をプリントする写真プリントシステムにおいて、
上記被写体を撮影して上記画像を取得する撮影手段と、
上記撮影手段から見て上記被写体の後方に設けられ、上記撮影手段へ光を反射する光反射手段と、を備えることを特徴とする写真プリントシステム。
【請求項２】
上記光反射手段は、光学特性が変更可能であることを特徴とする請求項１に記載の写真プリントシステム。
【請求項３】
上記光反射手段に光を照射する光照射手段をさらに備えることを特徴とする請求項１または２に記載の写真プリントシステム。
【請求項４】
上記光照射手段は、
上記光反射手段に光を照射する発光体と、該発光体を支持し、かつ、透光性を有する基体とを備えるとともに、
上記被写体と上記光反射手段との間に設けられていることを特徴とする請求項１から３のいずれか１項に記載の写真プリントシステム。
【請求項５】
上記発光体は、上記光反射手段に光を照射すると同時に、上記撮影手段への方向にも光を照射するものであることを特徴とする請求項４に記載の写真プリントシステム。
【請求項６】
上記撮影手段と上記光反射手段との間に、光の伝搬方向を変化させる光偏向手段をさらに備えることを特徴とする請求項１から５のいずれか１項に記載の写真プリントシステム。
【請求項７】
請求項１から６のいずれか１項に記載の写真プリントシステムに搭載されるプリント紙ユニットであって、
プリント用画像が印刷されるプリント紙と、当該プリント紙に関する識別情報を記録する識別媒体とを備えるとともに、
上記写真プリントシステムが具備する識別情報読み取り手段によって、上記識別媒体から識別情報が読み取られ、その内容が確認された上で上記プリント紙に上記プリント用画像がプリントされるものであることを特徴とするプリント紙ユニット。
【請求項８】
被写体を撮影した画像をプリントする写真プリントシステムの制御方法であって、
撮影手段から見て上記被写体の後方に設けられ、上記撮影手段へ光を反射する光反射手段の光学特性を設定する光学特性設定処理と、
上記撮影手段により上記被写体を撮影して上記画像を取得する撮影処理と、を含むことを特徴とする写真プリントシステムの制御方法。
【請求項９】
請求項８に記載の写真プリントシステムの制御方法を実行するための写真プリントシステムの制御プログラムであって、コンピュータに上記の各処理を実行させるための写真プリントシステムの制御プログラム。
【請求項１０】
請求項９に記載の写真プリントシステムの制御プログラムを記録したコンピュータ読み取り可能な記録媒体。
【発明の詳細な説明】
【０００１】
【発明の属する技術分野】
本発明は、被写体を撮影するとともに、撮影により取得した画像に基づき、所望の場合には該画像に編集処理を施した上で、シール紙などのプリント紙にプリント出力する写真プリントシステム、写真プリントシステムの制御方法、写真プリントシステムの制御プログラム、該プログラムを記録したコンピュータ読取り可能な記録媒体、およびプリント紙ユニットに関するものである。
【０００２】
【従来の技術】
従来の写真プリントシステムとしては、撮影装置の前方の空間であって、撮影が行われる撮影空間の後方にカーテンを配置し、そのカーテンを背景として被写体の撮影を行うシステムが知られている。
【０００３】
また、色彩や模様の異なる複数枚のカーテンを撮影空間の後方に配置し、利用者により選択されたカーテンを背景として被写体の撮影を行うシステムが知られており、例えば、下記の特許文献１に開示されている。
【０００４】
また、従来の写真プリントシステムとしては、種々の画像データを記憶しておき、利用者により選択された画像データを、撮影装置によって取得した撮影画像と合成し、合成した画像をプリント出力するシステムが知られている。
【０００５】
なお、写真プリントシステムにおいて、撮影画像から画像抽出技術により被写体の画像領域を抽出し、抽出した画像と背景の画像データとを合成するマスク合成方法や、撮影画像における特定の色を透明化して、背景の画像データと合成するクロマキー合成方法などを用いて、撮影画像を背景の画像データと合成するシステムが知られている。
【０００６】
【特許文献１】
実用新案登録第３０４７９１０号公報（公報発行日：平成１０年（１９９８）４月２８日）
【０００７】
【発明が解決しようとする課題】
写真プリントシステムの利用者は、多種多様なプリント画像を取得することを所望しており、このため、多種多様な背景で撮影する、または、多種多様な背景画像と合成することを所望している。
【０００８】
しかしながら、上記のように、被写体の背景としてカーテンを用いた従来の写真プリントシステムでは、背景の数がカーテンの枚数またはその組合せ枚数となり、また、設置スペースの関係上、カーテンの設置枚数が制限されるため、充分な種類の背景を提供するまでには至らない。
【０００９】
また、画像データを撮影画像の背景として合成する従来の写真プリントシステムでは、内部の記憶装置に多数の画像のデータを格納することにより、設置スペースに関係なく、多種多様な背景画像と合成することができる。しかしながら、撮影した被写体画像と背景画像との境界が明確になるため、かえって不自然なものとなる。
【００１０】
本発明は、上記の問題点を解決するためになされたもので、その目的は、背景の光演出効果を高めることができる写真プリントシステムおよびプリント紙ユニット、写真プリントシステムの制御方法を提供することにある。また、本発明の目的には、上記写真プリントシステムを実現する写真プリントシステムの制御プログラム、およびこれを記録したコンピュータ読み取り可能な記録媒体を提供することも含まれる。
【００１１】
【課題を解決するための手段】
上記の課題を解決するために、本発明の写真プリントシステムは、被写体を撮影した画像をプリントする写真プリントシステムにおいて、上記被写体を撮影して上記画像を取得する撮影手段と、上記撮影手段から見て上記被写体の後方に設けられ、上記撮影手段へ光を反射する光反射手段と、を備えることを特徴としている。
【００１２】
上記の構成により、撮影用の照明や演出用の照明の光を光反射手段で反射・拡散させた反射光を被写体の背景として撮影できる。
【００１３】
よって、光反射手段による反射光を用いて背景を形成できるため、背景の表現バリエーションを広げることができる。また、光が拡散されるため、被写体の背景の光演出効果を高めることができる。したがって、背景が多種多様であり、かつ、背景と被写体との境界が自然である画像をプリント出力することが可能となる。また、光源を擬似的に増やすことができるため、コストダウンを実現できる。
【００１４】
さらに、本発明の写真プリントシステムは、上記光反射手段は、光学特性が変更可能であることを特徴としている。
【００１５】
上記の構成により、さらに、光反射手段は、素材や形状、撮影手段に対する傾斜や湾曲等を選択することで、様々な光学特性を実現できる。例えば、光反射手段としては、鏡、反射素材シート（銀レフ、金レフなどの光沢のあるメタリックシート）が利用できる。また、光反射手段は、平面鏡、凹面鏡、凸面鏡、ハニカム形状（凸凹形状）の鏡、ランダムにヒビの入った鏡、短冊形状の反射素材シート、金色、銀色などのように様々な光学特性が選択可能である。また、平面状のものの他、ミラーボールのような形状であってもよいし、移動するものであってもよい。
【００１６】
よって、光反射手段の光学特性を変更することにより、反射光を変化させることができる。したがって、背景の光演出効果を高めるとともに、被写体の背景のバリエーションを広げることが可能となる。
【００１７】
さらに、本発明の写真プリントシステムは、上記光反射手段に光を照射する光照射手段をさらに備えることを特徴としている。
【００１８】
上記の構成により、さらに、反射光による背景の作成に適した光を光反射手段に照射することができる。よって、背景の光演出効果を高めるとともに、被写体の背景のバリエーションを広げることが可能となる。
【００１９】
さらに、本発明の写真プリントシステムは、上記光照射手段は、上記光反射手段に光を照射する発光体と、該発光体を支持し、かつ、透光性を有する基体とを備えるとともに、上記被写体と上記光反射手段との間に設けられていることを特徴としている。
【００２０】
上記の構成により、さらに、光照射手段のうち発光体以外の領域が透光性を有する、すなわち、シースルーであるので、光反射手段による反射光を撮影手段へ照射できる。
【００２１】
よって、被写体の背景として撮影される領域にも光照射手段の発光体を配設できるため、光反射手段による反射光を用いて、より自由度の高い背景を形成できる。また、発光体以外の基体の領域を自由にデザイン変更することができる。したがって、背景の光演出効果を高めるとともに、被写体の背景のバリエーションを広げることが可能となる。
【００２２】
さらに、本発明の写真プリントシステムは、上記発光体は、上記光反射手段に光を照射すると同時に、上記撮影手段への方向にも光を照射するものであることを特徴としている。
【００２３】
上記の構成により、さらに、撮影手段へは、発光体から撮影手段への方向に出射された光が照射されるとともに、発光体から光反射手段への方向に出射された後光反射手段で反射された光が照射される。
【００２４】
よって、拡散されない直接光と拡散させた間接光とを重ね合わせて、背景を形成することができる。したがって、背景の光演出効果を高めるとともに、被写体の背景のバリエーションを広げることが可能となる。
【００２５】
さらに、本発明の写真プリントシステムは、上記撮影手段と上記光反射手段との間に、光の伝搬方向を変化させる光偏向手段をさらに備えることを特徴としている。
【００２６】
上記の構成により、さらに、光反射手段とともに光偏向手段を設けることで、光反射手段からの反射光に光偏向手段によって模様付けすることができる。したがって、背景の光演出効果を高めるとともに、被写体の背景のバリエーションを広げることが可能となる。
【００２７】
また、本発明のプリント紙ユニットは、上記の写真プリントシステムに搭載されるプリント紙ユニットであって、プリント用画像が印刷されるプリント紙と、当該プリント紙に関する識別情報を記録する識別媒体とを備えるとともに、上記写真プリントシステムが具備する識別情報読み取り手段によって、上記識別媒体から識別情報が読み取られ、その内容が確認された上で上記プリント紙に上記プリント用画像がプリントされるものであることを特徴としている。
【００２８】
上記の構成により、識別情報読み取り手段で読み取った識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００２９】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００３０】
また、識別情報に用紙種類情報を含ませることによって、これらを考慮して画像データの色成分などを補正することにより、その用紙やインクフィルムに的確な画像出力を行うことが可能となる。
【００３１】
また、本発明の写真プリントシステムの制御方法は、被写体を撮影した画像をプリントする写真プリントシステムの制御方法であって、撮影手段から見て上記被写体の後方に設けられ、上記撮影手段へ光を反射する光反射手段の光学特性を設定する光学特性設定処理と、上記撮影手段により上記被写体を撮影して上記画像を取得する撮影処理と、を含むことを特徴としている。
【００３２】
ここで、光反射手段は、素材や形状、撮影手段に対する傾斜や湾曲等を選択することで、様々な光学特性を実現できる。例えば、光反射手段としては、鏡、反射素材シート（銀レフ、金レフなどの光沢のあるメタリックシート）が利用できる。また、光反射手段は、平面鏡、凹面鏡、凸面鏡、ハニカム形状（凸凹形状）の鏡、ランダムにヒビの入った鏡、短冊形状の反射素材シート、金色、銀色などのように様々な光学特性が選択可能である。また、平面状のものの他、ミラーボールのような形状であってもよいし、移動するものであってもよい。よって、光反射手段の光学特性を変更することにより、反射光を変化させることが可能である。
【００３３】
そこで、上記の方法により、光学特性設定処理によって、最適な背景が形成されるように、光反射手段の光学特性を設定できる。その結果、撮影処理によって、撮影用の照明や演出用の照明の光を光反射手段で反射・拡散させた反射光で形成した最適な背景を被写体とともに撮影できる。
【００３４】
よって、光反射手段による反射光を用いて背景を形成できるため、背景の表現バリエーションを広げることができる。また、光が拡散されるため、被写体の背景の光演出効果を高めることができる。したがって、背景が多種多様であり、かつ、背景と被写体との境界が自然である画像をプリント出力することが可能となる。
【００３５】
また、本発明の写真プリントシステムの制御プログラムは、コンピュータに上記写真プリントシステムの制御方法の各処理を実行させるコンピュータ・プログラムである。
【００３６】
上記の構成により、コンピュータで上記写真プリントシステムの制御方法の各処理を実行することによって、上記写真プリントシステムの制御方法を実現することができる。したがって、上記した写真プリントシステムの制御方法の効果である、背景の光演出効果を高めることができるという効果を奏する。
【００３７】
また、本発明の写真プリントシステムの制御プログラムを記録したコンピュータ読み取り可能な記録媒体は、上記の各処理をコンピュータに実行させて、上記写真プリントシステムを制御する写真プリントシステムの制御プログラムを記録したコンピュータ読み取り可能な記録媒体である。
【００３８】
上記の構成により、上記記録媒体から読み出された写真プリントシステムの制御プログラムによって、上記写真プリントシステムの制御方法をコンピュータで実現することができる。
【００３９】
【発明の実施の形態】
本発明の一実施の形態について図１から図１８に基づいて説明すれば、以下のとおりである。
【００４０】
図１（ａ）（ｂ）は、本実施の形態に係る写真プリントシステム１０の概略を示す外観図である。また、図２は、写真プリントシステム１０が備える本体装置１１の正面図である。なお、図１では、写真プリントシステム１０の内部の撮影空間を示すため、被写体である利用者Ｕの上部および両側部に配設される遮蔽幕を省略している。
【００４１】
写真プリントシステム１０は、本体装置１１と背景装置１２とが対向して配設されている。なお、以下では、写真プリントシステム１０の本体装置１１の側を「前側」、背景装置１２の側を「後側」と称することがある。
【００４２】
本体装置１１は、コイン投入口１４、撮影装置（撮影手段）１５、編集表示パネル１６、タッチペン１７が正面に配設され、プリント排出口１９が側面に配設され、プリント出力装置（画像出力手段）１８および制御装置２０が内部に配設されている。
【００４３】
コイン投入口１４は、利用者Ｕが写真プリントシステム１０の利用料金として所定のコインを所定枚数だけ投入するための投入口であり、このコイン投入口１４に連通して、コイン処理部（図示せず）が本体装置１１の内部に設けられている。
【００４４】
上記コイン処理部は、所定のコインが投入されたか否かを判定する。コイン処理部は、所定のコインが投入されたと判定した場合には、制御装置２０に通知し、投入されたコインを、コインを蓄積するコイン容器（図示せず）に送り出す。一方、所定のコイン以外のコインが投入されたと判定した場合には、投入されたコインをコイン排出口２３に送り出す。
【００４５】
なお、写真プリントシステム１０の近くに紙幣やコインを所定のコインに両替する両替機が存在しない場合のために、写真プリントシステム１０には、紙幣投入口、紙幣処理部、釣銭処理部をさらに設けることが望ましい。
【００４６】
撮影装置１５は、主に利用者Ｕを被写体として写真撮影を行う装置である。図２に示すように、撮影装置１５は、上下方向に移動可能、かつ、上下方向に傾斜可能であるように、本体装置１１の正面中央部に配設されている。これにより、被写体を様々なアングルから撮影できる。なお、撮影装置１５の移動や傾斜は、利用者Ｕが手動で行ってもよいし、本体装置１１あるいは撮影装置１５にモータ等の駆動装置を設けて自動的に行うようにしてもよい。
【００４７】
また、撮影装置１５は、被写体を撮影する撮影カメラ２４を備えている。撮影カメラ２４は、例えばレンズ群、絞り、ＣＣＤ（ｃｈａｒｇｅ  ｃｏｕｐｌｅｄ  ｄｅｖｉｃｅ）撮像素子などを備えたデジタルカメラによって構成される。この撮影カメラ２４は、全身撮影とクローズアップ撮影との両方に対応できるように、例えば使用するレンズ群および絞りが切り替え可能であってもよい。
【００４８】
また、撮影装置１５の両側には、照明装置（光照射手段）２２・２２が配設されている。照明装置２２・２２は、撮影時にストロボランプなどの写真閃光灯として機能するとともに、通常時の照明として機能するものである。
【００４９】
編集表示パネル１６は、本体装置１１の中央部であって、撮影装置１５の下部に配設されている。編集表示パネル１６は、利用者Ｕにユーザインターフェイスを提供するものであり、各種画像や各種操作ボタン等を表示する。編集表示パネル１６は、例えば、液晶表示素子等のフラットパネルディスプレイやＣＲＴなどの表面にタッチパネルが設けられて構成されている。
【００５０】
タッチペン１７は、編集表示パネル１６の近くに配設されている。タッチペン１７は、利用者Ｕが編集表示パネル１６を利用して、背景作成や落書きなどの画像描画、表示されている各種編集ツールや操作ボタンなどの選択を行うための入力手段である。なお、複数の利用者Ｕが容易に編集できるように、タッチペン１７を複数本配設したり、編集表示パネル１６を複数個配設してもよい。
【００５１】
プリント出力装置１８（図１（ａ））は、画像をプリント出力するものであり、本体装置１１の内部に配設されている。なお、プリント出力装置１８の構成については後述する。プリント排出口１９は、プリント出力装置１８から出力されたプリントシールを本体装置１１の外部に排出するものである。プリント排出口１９は、本体装置１１の側面のいずれか一方または両方に配設されている。
【００５２】
制御装置２０（図１（ａ））は、本体装置１１および背景装置１２における各種構成の動作を統括的に制御するものであり、本体装置１１の内部に配設されている。なお、各種操作上のガイダンス音声や効果音などを出力するスピーカ２１・２１が本体装置１１の正面の適所に配設されている。
【００５３】
次に、写真プリントシステム１０の後側に設けられた背景装置１２の構成について説明する。図１に示すように、背景装置１２は、背景を表示する背景表示装置（光照射手段）３０と、背景表示装置３０から照射される背景光を偏向させる背景光偏向装置（光偏向手段）３１と、背景光を反射させる背景光反射装置（光反射手段）７３とを備えている。背景表示装置３０、背景光偏向装置３１、背景光反射装置７３は、支持装置３２によって支持されている。
【００５４】
背景表示装置３０は、撮影空間を確保するために、背景装置１２の後部に配設されている。また、背景表示装置３０における背景の表示は、制御装置２０によって制御される。なお、背景表示装置３０に表示される画像を背景として撮影カメラ２４が撮影するために、背景表示装置３０から撮影カメラ２４に充分な光量を到達させる必要がある。このため、背景表示装置３０としては、ＬＥＤなどの発光素子を複数個使用したものや、ハロゲンランプなどの光源と液晶表示素子などのライトバルブとを使用したものが望ましい。
【００５５】
つづいて、図３から図５を用いて、背景表示装置３０の構成例について説明する。
【００５６】
図３（ａ）に示した背景表示装置３０では、基体４８上に所定の大きさの多数のＬＥＤ（発光体）４０…が水平方向および鉛直方向に所定間隔で、すなわちマトリクス状に配設されている。
【００５７】
図３（ｂ）に示した背景表示装置３０では、基体４８の対角線上に多数のＬＥＤ４０…が配設されている。
【００５８】
図３（ｃ）に示した背景表示装置３０では、基体４８上に大きさの異なるＬＥＤ４０…・４１…が混合して配設されている。なお、大きいＬＥＤ（発光体）４１は、小さいＬＥＤ４０の集合体として構成することもできる。
【００５９】
図３（ｄ）に示した背景表示装置３０では、基体４８上にＬＥＤ４０が放射状に配設されている。
【００６０】
図４（ａ）に示した背景表示装置３０は、水平方向に細長い基体４２上に所定の大きさのＬＥＤ（図示せず）が所定間隔で配設されており、基体４２を駆動装置（図示せず）により鉛直方向に移動させるとともに、この移動に同期して基体４２上のＬＥＤの表示を変化させる構成である。
【００６１】
図４（ｂ）に示した背景表示装置３０は、鉛直方向に細長い基体４３上に所定の大きさのＬＥＤ（図示せず）が所定間隔で配設されており、基体４３を駆動装置（図示せず）により水平方向に移動させるとともに、この移動に同期して基体４３上のＬＥＤの表示を変化させる構成である。
【００６２】
図４（ｃ）に示した背景表示装置３０は、細長い基体４４上に所定の大きさのＬＥＤが所定間隔で配設されており、回転駆動装置（図示せず）により基体４４の一端を回転軸として基体４４を回転させるとともに、この回転に同期して基体４４上のＬＥＤの表示を変化させる構成である。
【００６３】
図４（ｄ）に示した背景表示装置３０は、細長い基体４５上に所定の大きさのＬＥＤが所定間隔で配設されており、回転駆動装置（図示せず）により基体４４の中心を回転軸として基体４５を回転させるとともに、この回転に同期して基体４５上のＬＥＤの表示を変化させる構成である。
【００６４】
なお、図４（ａ）から図４（ｄ）に示した構成は、図３（ａ）から図３（ｄ）に示した構成と比べて、ＬＥＤの配置数を大幅に減少することができため、背景表示装置３０を安価に実現できる。また、各構成のＬＥＤの配置間隔および配置数は、ＬＥＤの大きさおよび明るさに応じて適宜調節できる。
【００６５】
また、図５に示した背景表示装置３０は、背景面の上端および下端に水平方向に設けたローラ４６・４６に無端状ベルト（基体）４７が張架され、無端状ベルト４７上に複数の上記基体４２（図４（ａ））が水平方向に配設されており、回転駆動装置（図示せず）がローラ４６・４６を回転させることにより、基体４２…を鉛直方向に移動させるととも、この移動に同期して基体４２上のＬＥＤの表示を変化させる構成である。
【００６６】
図５に示した構成では、回転駆動装置は、一方向の回転運動のみを駆動すればよい。これに対して、図４（ａ）に示した構成では、駆動装置は、鉛直な２方向に基体４２を駆動する必要がある。したがって、図５の構成は、図４（ａ）の構成と比べて、駆動装置を簡単な構成とすることができる。
【００６７】
また、図５に示した構成では、図４（ａ）に示した構成と比べて、基体４２の数が増える分だけＬＥＤの数が増えるが、撮影時間内に背景面全体に画像を表示するために基体４２を移動させる距離を短くできるため、基体４２の移動速度を遅くすることができる。なお、基体４２〜４５に配列されるＬＥＤは、１列でもよいし、複数列でもよい。
【００６８】
ここで、背景表示装置３０が表示する背景画像は、制御装置２０に記憶された多種多様な画像データの中から利用者Ｕが選択されたものでもよいし、編集表示パネル１６およびタッチペン１７を用いて利用者Ｕが作成したものでもよい。
【００６９】
背景画像を利用者Ｕが作成する場合、編集表示パネル１６には背景作成画面が表示される。例えば、背景作成画面には、背景作成領域の他に、各種の選択メニュー（ペン、スタンプ、色指定（色パレット）、点滅指定、ペン太さ等）、編集用ボタン（描画消去（消しゴム）、戻し（やりなおし）、全戻し（初めからやりなおし）、背景作成終了等）などのグラフィカルユーザインタフェースが適所に表示されている。
【００７０】
背景作成画面に表示される背景画像を、背景表示装置３０に実際に表示される画像に近づけるため、背景作成画面の初期状態での色は、背景表示装置３０の初期状態と同様の色であることが望ましい。具体的には、背景表示装置３０においてＬＥＤが配置される基体４２〜４５・４８と同様の色（例えば、黒色などの暗い色）であることが望ましい。
【００７１】
背景の作成は、ペン描画機能、スタンプ配置機能、文字入力機能、および特殊効果機能を用いて、背景作成領域に描画することにより行われる。この背景の作成処理は、撮影画像に対する編集処理と比べて、表示色が制限されること、および絵柄が粗いこと以外は同様である。
【００７２】
ペン描画を行う場合には、クレヨン、フェルトペン等のペンの種類を指定するペンメニューと、ＬＥＤの表現可能な色のみで構成された色指定メニューと、背景作成領域に描画する点の大きさまたは線の太さを指定するペン太さメニューとが利用される。利用者Ｕは、タッチペン１７を用いて、ペンメニューから所望の種類のペンを選択し、色指定メニューから所望の色を選択し、ペン太さメニューから所望の線の太さを選択した後、背景作成領域にて描画を行う。
【００７３】
スタンプ配置を行う場合には、ＬＥＤで表現可能な色のみで構成されたスタンプ絵柄を指定するスタンプメニューが利用される。利用者Ｕは、スタンプメニューから所望のスタンプ絵柄を選択して背景作成領域に配置する。このとき、スタンプ絵柄に点滅属性を設けてもよい。この場合、点滅指定メニューにより点滅オンを指定すると、背景表示装置３０にて表示される背景画像において指定されたスタンプ絵柄を点滅表示させることができる。これにより、背景画像をより複雑に演出することができる。
【００７４】
また、例えば、サッカーボールのスタンプ絵柄を指定した場合、サッカーボールが背景作成領域内を反射しながら移動する機能を有してもよい。この場合、背景表示装置３０における点灯・消灯を逐次制御して、ボールの動きを表現することになる。
【００７５】
文字入力を行う場合には、色指定メニューから文字の色を選択した後、文字指定メニュー（図示せず）から文字の形状、寸法、および種類を選択して、背景作成領域に文字を入力することができる。
【００７６】
特殊効果機能を利用する場合には、「流れ星」「花火」「天の川」「クリスマスツリー」などの特殊効果メニューの中から利用者Ｕが選択することにより、幻想的な絵柄を配置することができる。例えば、特殊効果として「流れ星」を選択した場合には、タッチペン１７で編集表示パネル１６上に軌跡を入力すると、軌跡の終点には流れ星が点滅して表示され、軌跡に沿って、流れ星の尾が複数の直線で表現されるとともに、流れ星の塵が下に落ちるように点滅する点で表現されることになる。
【００７７】
なお、背景作成領域が格子状に区画され、この区画上にのみ絵柄や線図が配置可能となっている。この理由について以下に説明する。背景表示装置３０がＬＥＤなどの発光素子を多数配列する構成である場合、ＬＥＤを背景面全体に隙間無く配列すると、莫大な数の発光素子が必要となり、背景表示装置３０が非常に高価なものとなる。したがって、背景表示装置３０のコストを抑えるために、発光素子は、背景面全体に所定の間隔で配列されることが望ましい。
【００７８】
しかしながら、発光素子どうしの間隔が広がると、発光素子の配列数を減らすことができるが、背景表示装置３０の表示解像度が低下することになる。このため、利用者Ｕが編集表示パネル１６上で背景画像をきめ細かく作成しても、背景表示装置３０において画質の粗い画像が表示されることになり、結果的に思っていた絵柄とはならないという問題が生じる。
【００７９】
このため、背景作成領域が格子状に区画され、この区画上にのみ絵柄や線図が配置可能とすることにより、編集表示パネル１６にて作成された背景画像と、背景表示装置３０にて表示される背景画像との画質を合わせることができる。例えば、背景作成領域の画素数が６４０×４８０であり、背景表示装置３０における表示素子の配列数が１６０×１２０である場合には、背景作成領域は、縦４ドット、横４ドットの間隔で区画されることになる。
【００８０】
あるいは、編集表示パネル１６内に「解像度を落として確認」等のボタンを設け、このボタンを利用者Ｕが押した場合、例えば６４０×４８０の画像に対して４×４の画素ごとに色を混ぜる処理を行って、結果を編集表示パネル１６上に表示するようにしてもよい。この処理は、一般にはモザイク化処理と呼ばれ、画像処理分野ではセグメント処理と呼ばれている。
【００８１】
図６は、上記のように、利用者Ｕが作成または選択した背景画像を背景表示装置３０にて表示して、撮影装置１５が撮影を行った撮影画像を示している。この撮影画像９０では、背景の明るい部分９２は逆光となるため、被写体９１の輪郭がぼやけ、その他の部分は順光となるため、被写体９１の輪郭が明確となっている。すなわち、撮影画像に背景画像を合成する従来の場合に比べて、より写実的な画像を取得することができる。
【００８２】
上述のように、背景表示装置３０にて表示された背景画像は、背景光として撮影空間を伝搬して撮影装置１５に達することにより、被写体である利用者Ｕの背景として撮影されることになる。ここで、背景装置１２では、背景表示装置３０と撮影装置１５との間に、上記背景光を偏向する背景光偏向装置３１が配設されている。なお、背景光偏向装置３１は、利用者Ｕの前側に配置することもできるし、利用者Ｕの後側に配置することもできる。また、光の偏向とは、光の進行方向を変更することをいい、光の屈折、反射、回折などを含むものとする。
【００８３】
図７は、背景光偏向装置３１として透過型の位相回折格子５０を用いた構成例を示している。この位相回折格子５０は、一方の面が平坦に形成され、他方の面に凹凸が等間隔に形成されており、平坦な面が前側に、凹凸を有する面が後側になるように配設されている。なお、凹凸のピッチＰは例えば０．１ｍｍのオーダであり、凸部における頂角は、鋭角でも鈍角でもよい。
【００８４】
上記の位相回折格子５０において、凹凸を有する面から光が入射され、平坦な面から光が出射される場合には、図７に示すように、異なる方向からの入射光を同じ方向へ出射することができる。これにより、例えば図８（ａ）に示すような背景画像を背景表示装置３０にて表示した場合、背景光偏向装置３１（位相回折格子５０）を透過した光の画像は、図８（ｂ）に示すように、上記背景画像を複数重ねた画像となる。したがって、位相回折格子５０を設けることにより、多様な背景を形成できる。
【００８５】
ここで、図９に示すように、背景光偏向装置３１は、シート状の光偏向部品５１が前後に複数枚配設されて構成されていてもよい。この場合、さらに複雑な背景を形成することができる。また、背景光偏向装置３１は、シート状の光偏向部品５１を巻き取って収容する巻取り装置５２が設けられていてもよい。この場合、複数の光偏向部品５１…のいずれかを使用したり、複数の光偏向部品５１…の幾つかを組み合わせて使用したりすることができ、さらに多様な背景を形成することが可能となる。なお、図９に示した背景光反射装置７３については後述する。
【００８６】
また、背景光偏向装置３１は、図３〜図５に示した背景表示装置３０の構成例において、発光素子（ＬＥＤ）を光偏向部品に置き換えた構成することもできる。特に、背景光偏向装置３１は、図４および図５に示した背景表示装置３０の構成例と同様に、光偏向部品の移動または回転を行うことにより、背景を多様に変化させることができる。
【００８７】
また、光偏向部品がビニール状であって柔軟に折曲げ可能な薄膜で構成される場合は、背景装置１２の天井部にカーテンレールのような移動レールを設け、上記薄膜をカーテンのように移動可能に配設してもよい。これにより、上記薄膜がカーテンのように波状となり、背景光の偏向方向が複雑に構成され、より幻想的な背景絵柄を取得することができる。
【００８８】
さらに、上記薄膜を短冊状に分割して上記光偏向部品をのれんのように構成することもできる。この場合、利用者Ｕが薄膜の短冊間から体の一部を出しながら、かつ、のれん状部品の光学特性により、背景光を細かく偏向することで、幻想的な背景を演出することができる。
【００８９】
また、光偏向部品に光源からの距離に応じて光学的特性が変化するようなものを使用してもよい。この場合、光偏向部品が配設された背景光偏向装置３１は、背景表示装置３０との距離が調節可能であることが望ましい。このような構成の背景光偏向装置３１によれば、背景表示装置３０と背景光偏向装置３１との距離を変更することにより背景を変化させることができるため、多様な背景絵柄の演出が可能となる。なお、前記距離の調節は、利用者Ｕが手動で行ってもよいし、モータなどで電気的に行ってもよい。
【００９０】
以上のように、背景光偏向装置３１としては、様々な構成例が可能である。そして、何れの構成例も、背景表示装置３０に表示された背景画像に基づいて、背景を様々に変化させることができるため、多種多様な背景を演出することが可能となる。
【００９１】
さらに、図１に示すように、背景装置１２では、背景表示装置３０の後側に、上記背景光を反射する背景光反射装置７３が配設されている。
【００９２】
ここで、上述した基本的な構成例の背景表示装置３０では、ＬＥＤ４０の光軸（光線方向）が撮影装置１５方向を向いている。よって、ＬＥＤ４０から出射された光は、大部分は背景光偏向装置３１を透過する。しかし、一部の光は背景光偏向装置３１で反射されて、撮影装置１５方向とは逆方向へ広がる。そこで、この反射された光を背景光反射装置７３で反射することにより、撮影装置１５方向へ照射することができる。
【００９３】
そのため、背景表示装置３０は、透光性を有する基体に微小光源であるＬＥＤ（発光体）４０…（または電球）が取り付けられて構成されている。ここで、透光性を有する基体とは、例えば、桟が細い格子や透光性を有する薄板によって実現できる。
【００９４】
具体的には、背景表示装置３０は、ＬＥＤ４０…以外の領域が、何もない空間であってもよいし、透明あるいは半透明の素材（透光性素材）で構成されていてもよい。さらに、この透光性素材は、無色であってもよいし、着色されていてもよい。また、透光性素材は、背景光偏向装置３１と同様の光偏向部品で構成されていてもよい。すなわち、背景表示装置３０と背景光偏向装置３１とを一体としてもよい。また、透光性材料は、背景表示装置３０全面で光学特性が同じものであってもよいし、異なっていてもよい。透光性材料の光学特性が背景表示装置３０の部位によって異なれば、より変化のある背景を形成できる。
【００９５】
また、背景表示装置３０は、ＬＥＤ４０の光軸を撮影装置１５方向だけではなく、反対方向すなわち背景光反射装置７３方向にも向けて構成されてもよい。さらに、背景表示装置３０は、ＬＥＤ４０の光軸（光線方向）を背景光反射装置７３方向のみにも向けて構成されてもよい。これらの場合、背景光反射装置７３からの反射・拡散による背景の光演出効果が積極的に期待できる。
【００９６】
このように、背景光反射装置７３を設ける場合、背景表示装置３０は、光の照射方向が、撮影装置１５方向のみであっても、背景光反射装置７３方向のみであっても、これら両方向であってもよい。いずれの場合であっても、利用者Ｕの背後の光が撮影装置１５方向へ反射されるため、背景光の光演出効果を高めることができる。
【００９７】
背景光反射装置７３としては、鏡、反射素材シート（銀レフ、金レフなどの光沢のあるメタリックシート）が利用できる。また、背景光反射装置７３は、平面鏡、凹面鏡、凸面鏡、ハニカム形状（凸凹形状）の鏡、ランダムにヒビの入った鏡、短冊形状の反射素材シート、金色、銀色などのように様々な光学特性に設定可能である。
【００９８】
よって、背景光反射装置７３は、異なる光学特性を有するものと交換することによって、光学特性を変更できる。また、撮影装置１５への角度によっても、背景光反射装置７３の光学特性を変更できる。なお、背景光反射装置７３の表面形状や角度による光学特性は、背景画像等との組合せとしてあらかじめ設定されていてもよいし、利用者Ｕが任意に設定してもよい。
【００９９】
図１０，図１１は、背景光反射装置７３の構成例を示す説明図である。なお、図１０，図１１では、背景表示装置３０および背景光偏向装置３１を省略している。
【０１００】
例えば、背景光反射装置７３は、上方を利用者Ｕへ近づけた傾斜のある平面鏡（図１０（ａ））、下方を利用者Ｕへ近づけた傾斜のある平面鏡（図１０（ｂ））、上下方向の中央部が凹んだ凹面鏡（図１０（ｃ））のように構成できる。なお、これらの背景光反射装置７３は、可撓性を有する１枚の鏡面部材を用いて、撮影装置１５に対する傾きや形状を調整することで実現してもよい。また、背景光反射装置７３は、左端を利用者Ｕへ近づけた傾斜のある平面鏡（図１１（ａ））、屏風状の凹凸のある鏡（図１１（ｂ））のように構成できる。
【０１０１】
また、図１０（ｄ）に示すように、背景光反射装置７３は複数箇所に離散的に設けられてもよい。すなわち、背景装置１２では、後側壁面の全面を反射面とする必要はない。これにより、例えば、光源として設けられた１つのＬＥＤ４０からの光を、離散的に設置された複数の背景光反射装置７３に映しこませ、擬似的に複数個の光源が存在しているかのように撮像させることができる。
【０１０２】
背景光反射装置７３は、光反射部品の種類を変更または撤去するために背景光反射駆動装置７２によって駆動される。例えば、背景光反射駆動装置７２は、背景光反射装置７３を上下方向や左右方向に移動させ、背景装置１２の内壁に沿って格納することが可能である。もちろん、背景光反射駆動装置７２を設けず、背景光反射装置７３を手動で移動させることも可能である。
【０１０３】
例えば、図９では、背景光反射装置７３は上方格納式として実装できる。すなわち、背景光反射装置７３は、シート状の光反射部品５６が前後に複数枚配設されて構成されていてもよい。また、背景光反射装置７３は、シート状の光反射部品５６を巻き取って収容する巻取り装置５５が設けられていてもよい。この場合、複数の光反射部品５６…のいずれかを使用したり、複数の光反射部品５６…のいくつかを組み合わせて使用したりすることができ、さらに多様な背景を形成することが可能となる。なお、図１１（ｂ）の構成例では、左端もしくは右端に巻き込んで格納することが好ましい。
【０１０４】
ここで、背景装置１２は、背景光反射装置７３を撤去した時に光を反射しないように、背景表示装置３０の後側の内壁を構成してもよい。例えば、背景装置１２の後側の内壁を、黒色・灰色などの可視光線反射率が低い単一色あるいは木目調などの無反射壁面としておけば、背景光反射装置７３を撮影空間上部などに格納した際、背景表示装置３０の後ろを無反射状態にすることができる。また、背景光反射装置７３を固定設置した場合には、背景光反射装置７３の前面に、黒色・灰色などの可視光線反射率が低い単一色のカーテンを撮影空間上部より下降させて、背景光反射装置７３を隠すようにしてもよい。
【０１０５】
以上のように、写真プリントシステム１０では、背景光反射装置７３を利用者Ｕおよび背景表示装置３０の後方に設けて、後方壁面への光を利用者Ｕ方向に反射・拡散させる。また、背景光反射装置７３は、撮影装置１５に対する傾斜や湾曲等を調整することで、様々な光学特性を実現できる。
【０１０６】
これにより、写真プリントシステム１０では、背景光反射装置７３による反射光を用いて背景を形成できるため、背景の表現バリエーションを広げることができるとともに、光を拡散させて被写体の背景の光演出効果を高めることができる。特に、各種光学特性の背景光反射装置７３を複数切り替え可能に設けることができるため、背景の表現バリエーションを広げることができる。
【０１０７】
また、光源を擬似的に増やすことができるため、コストダウンを実現できる。また、背景表示装置３０のうちＬＥＤ４０…以外の領域をシースルーとしたので、基体のＬＥＤ４０…以外の領域を自由にデザイン変更することができる。
【０１０８】
また、背景光反射装置７３とともに背景光偏向装置３１を設ければ、偏向フィルタにより背景光反射装置７３からの反射光に模様付けすることができる。この場合、背景光偏向装置３１には、背景表示装置３０より出射された光とともに、背景光反射装置７３で反射された光も入射する。よって、光をより拡散させる（広げる）ことができ、やわらかい光（間接光）を得ることができる。ここで、一般に光を拡散させるためには光路長が長いほうが有利である。
【０１０９】
そこで、背景光反射装置７３を設け、背景表示装置３０より光を背景光反射装置７３方向に一旦照射し、その光を背景光偏向装置３１方向に反射させれば、背景表示装置３０から背景光偏向装置３１方向に直接照射した場合に比べて、背景表示装置３０と背景光反射装置７３との間の往復分だけ光路長が長くなる。よって、背景装置１２の奥行きが同じでも、光をより拡散させることができる。
【０１１０】
さらに、背景光反射装置７３は、背景表示装置３０による光の他、撮影用の照明装置２２からのストロボ光や、演出用照明装置（光照射手段）７４からの光を反射・拡散させることもできる。
【０１１１】
具体的には、図１２（ａ）に示すように、反射光による背景を形成するために、背景光反射装置７３に光を照射する演出用照明装置７４を設けてもよい。なお、背景光反射装置７３に対する演出用照明装置７４の位置や光の照射方向は任意であり、例えば、天井寄りの位置に設けて光を下方へ照射してもよい。このように、背景光反射装置７３を傾斜させ、演出用照明装置７４を近づけて光を照射すれば、演出用照明装置７４の近くが明るいグラデーションのある背景を形成できる。さらに、背景光反射装置７３の表面に洗濯板状に凸凹をつけておけば、グラデーションがより明瞭になる。
【０１１２】
また、図１２（ｂ）に示すように、ミラーボール（光反射手段）７５を設けてもよい。さらに、ミラーボール７５に対して演出用照明装置７４から光を照射してもよい。あるいは、ミラーボール７５の表面にＬＥＤの微小光源を配設して、鏡部分で利用者Ｕを照明する照明装置２２からのストロボ光を反射すると同時に、微小光源を発光させてもよい。さらに、ミラーボール７５のミラー部分および発光部分を回転させて、撮影空間内の上下左右の壁面に向けて乱反射するようにしてもよい。
【０１１３】
次に、図１３は、制御装置２０を中心とした写真プリントシステム１０の構成を示している。制御装置２０は、写真プリントシステム１０内における上述した各種構成の動作を統括的に制御するものである。この制御装置２０は、例えばＰＣ（ｐｅｒｓｏｎａｌ  ｃｏｍｐｕｔｅｒ）ベースのコンピュータによって構成される。そして、各種構成の動作制御は、制御プログラムをコンピュータに実行させることによって行われる。
【０１１４】
制御装置２０は、ハードディスクなどの不揮発性の記憶装置である記憶部６４を備える。この記憶部６４には、上記制御プログラム、ＯＳ（ｏｐｅｒａｔｉｎｇ  ｓｙｓｔｅｍ）プログラム、およびその他各種プログラム、撮影装置１５における動作設定値、背景表示装置３０に表示させる多数の背景画像の画像データ、撮影した画像および編集した画像の画像データなどが記憶される。なお、撮影装置１５における動作設定値としては、装置出荷時やメンテナンス時などに設定されるホワイトバランスの値、撮影画像の明暗などを調整する際の画像処理に関する各種パラメータ値などが挙げられる。
【０１１５】
コイン処理装置６０は、前述のように、コイン投入口１４から所定のコインが投入されたと判定すると、制御装置２０に通知するものである。制御装置２０は、コイン処理装置６０からの通知を受け取ると、課金処理を行う。すなわち、制御装置２０は、コイン処理装置６０からの通知をカウントし、利用者Ｕが投入した金額に応じて、利用者Ｕに対する動作を制御する。
【０１１６】
背景表示装置３０は、前述のように、背景面において背景画像を表示するものである。制御装置２０は、背景表示装置３０における背景画像の表示を背景表示制御部６１にて制御している。すなわち、背景表示制御部６１は、背景表示装置３０に背景画像となる画像データを送信する。また、背景表示装置３０が背景面の一部を表示する表示部と該表示部を移動または回転させる駆動部とを備える構成の場合（図４、図５）、背景表示制御部６１は、前記駆動部を制御するとともに、該駆動部の駆動により前記表示部が移動または回転することに同期して、表示部の位置に対応する背景画像の一部を画像データとして送信する。これにより、背景面に背景画像を表示することができる。
【０１１７】
背景光偏向装置３１は、前述のように、背景光を偏向することにより背景を変化させるものである。背景光偏向装置３１は、前述のように移動可能または回転可能に配設されている場合には、背景光偏向装置３１の移動または回転を行う背景光偏向駆動装置６２を配設することが望ましい。この場合、制御装置２０は、背景光偏向駆動装置６２による背景光偏向装置３１の駆動および停止を背景光偏向制御部６３にて制御している。
【０１１８】
背景光反射装置７３は、前述のように、背景光を反射することにより背景を形成するものである。背景光反射装置７３は、前述のように移動可能または回転可能に配設されている場合には、背景光反射装置７３の移動または角度調整等を行う背景光反射駆動装置７２を配設することが望ましい。この場合、制御装置２０は、背景光反射駆動装置７２による背景光反射装置７３の駆動および停止を背景光反射制御部７１にて制御している。
【０１１９】
なお、演出用照明装置７４およびミラーボール７５は、背景光反射制御部７１の制御により制御され、移動・格納等は背景光反射駆動装置７２によって行われる。また、背景光反射装置７３の表面形状や角度による光学特性や演出用照明装置７４の設定等は、反射パターンとしてあらかじめ複数種類が設定されていてもよい。
【０１２０】
また、上述したように、写真プリントシステム１０では、背景表示装置３０、背景光偏向装置３１、背景光反射装置７３（演出用照明装置７４、ミラーボール７５も同様）を任意の組み合わせで設けることができる。よって、上記装置のいずれかを省略する場合、制御装置２０においても、対応する制御部（背景表示制御部６１、背景光偏向制御部６３、背景光反射制御部７１）を省略することができる。
【０１２１】
プリント出力装置１８は、ＩＤタグリーダ／ライタ（識別情報読み取り手段）６５およびプリンタ（画像出力手段）６７を備える構成である。このプリント出力装置１８に対して、写真プリントの出力媒体となるプリント紙６８およびＩＤタグ（識別媒体）６６がプリント紙ユニットとしてセットで納入されるようになっている。
【０１２２】
プリンタ６７は、出力すべき画像データが制御装置２０から送られてくると、その画像データに基づいてプリント紙６８に印刷するものである。このプリンタ６７としては、例えば昇華型プリンタが用いられる。なお、昇華型プリンタを用いる場合には、プリント紙６８およびＩＤタグ６６に加えて、昇華型用インクフィルムがセットととなって納入されることになる。
【０１２３】
ＩＤタグリーダ／ライタ６５は、ＩＤタグ６６に記録されている各種識別情報を読み出して制御装置２０に出力する。ＩＤタグ６６は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【０１２４】
制御装置２０は、ＩＤタグリーダ／ライタ６５で読み取った識別情報に基づいて、装着されたプリント紙６８およびインクフィルムが、当該写真プリントシステム１０において利用可能なものであるかを判定し、利用可能である場合にのみプリンタ６７を動作可能とする。すなわち、写真プリントシステム１０において指定されているプリント紙６８およびインクフィルム以外は使用できないように設定されていることになる。
【０１２５】
また、ＩＤタグ６６に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者Ｕの利用中に用紙切れを起こすというような不具合を回避することが可能となる。
【０１２６】
なお、用紙枚数をカウントダウンする際には、ＩＤタグ６６に記録されている用紙枚数情報も書き換えることが望ましい。これにより、用紙を使い切った場合には、ＩＤタグ６６に記録されている用紙枚数情報も０となり、このＩＤタグ６６を無効にすることが可能となる。
【０１２７】
また、ＩＤタグ６６に記録されている用紙種類情報や、インク固有の色情報を読み出すことによって、これらを考慮して画像データの色成分などを補正することにより、そのプリント紙６８やインクフィルムに的確な画像出力を行うことが可能となる。
【０１２８】
ＩＤタグ６６としては、無線（ワイヤレス）によりデータ通信を行うことが可能な非接触型ＩＤタグと、端子が設けられた接触型ＩＤタグとがあり、ＩＤタグリーダ／ライタ６５としては、これらのいずれか一方あるいは両方に対応したものとなる。
【０１２９】
なお、上記の例では、利用可能なプリント紙６８であるか否かを確認するために、ＩＤタグ６６を利用しているが、これに限定されるものではなく、例えば、プリント紙６８およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【０１３０】
なお、上記のプリント紙６８としては、通常の紙状媒体である紙状シートであってもよいし、粘着シートおよび該粘着シールの粘着面に貼り付けられている剥離シートからなるシールシートであってもよい。
【０１３１】
つづいて、図１４から図１８を参照しながら、写真プリントシステム１０の利用者Ｕによる撮影から編集、出力までのプレイ動作について説明する。
【０１３２】
図１４に示すように、まず、利用者Ｕがコイン投入口１４から代金としてコインを投入するまで待機する（Ｓ１）。コインが投入されると、コイン処理装置６０から制御装置２０にコインの投入が通知されることにより課金処理が行われる。課金処理が正常に完了したことが確認されると、プレイ動作が開始され、以下の処理が行われる。
【０１３３】
まず、背景画像を作成または選択する処理である背景作成・選択処理を行う（Ｓ２）。この処理動作の詳細を図１５に示す。まず、利用者Ｕに背景画像を作成するか否かを選択させる（Ｓ２０）。背景画像を作成する場合には、編集表示パネル１６に背景画像作成画面を表示して、利用者Ｕに背景画像を作成させる（Ｓ２１）。背景画像を作成しない場合には、記憶部６４に記憶された背景画像の一覧を編集表示パネル１６に表示して（Ｓ２２）、利用者Ｕに背景画像を選択させる（Ｓ２３）。その後、背景作成・選択処理（Ｓ２（図１４））を終了して、元の処理動作に戻る。
【０１３４】
次に、背景表示装置３０による背景の表示方法を選択する処理である背景表示方法選択処理を行う（Ｓ３（図１４））。この処理動作の詳細を図１６に示す。まず、編集表示パネル１６に背景画像の表示パターン（表示方法）一覧を表示して（Ｓ３０）、利用者Ｕに背景画像の表示パターンを選択させる（Ｓ３１）。次に、選択された表示パターンで、背景表示装置３０に背景画像を実際に表示する（Ｓ３２）。
【０１３５】
そして、撮影装置１５が撮影するライブビュー画像を編集表示パネル１６に表示して、表示結果を利用者Ｕが確認する（Ｓ３３）。このとき、表示結果では不満足な場合には、ステップＳ３０に戻って上記の動作を繰り返す。一方、表示結果で満足な場合には、背景表示方法選択処理（Ｓ３（図１４））を終了して、元の処理動作に戻る。
【０１３６】
次に、背景光偏向装置３１による背景光の偏向方法を選択する処理である背景光偏向方法選択処理を行う（Ｓ４（図１４））。この処理動作の詳細を図１７に示す。まず、編集表示パネル１６に背景光の偏向パターン（偏向方法）一覧を表示して（Ｓ４０）、利用者Ｕに背景光の偏向パターンを選択させる（Ｓ４１）。
【０１３７】
次に、選択された偏向パターンに、背景光偏向装置３１を移動または回転させて変更する（Ｓ４２）。
【０１３８】
そして、撮影装置１５が撮影するライブビュー画像を編集表示パネル１６に表示して、表示結果を利用者Ｕが確認する（Ｓ４３）。このとき、表示結果では不満足な場合には、ステップＳ４０に戻って上記の動作を繰り返す。一方、表示結果で満足な場合には、背景光偏向方法選択処理（Ｓ４（図１４））を終了して、元の処理動作に戻る。
【０１３９】
次に、背景光反射装置７３による背景光の反射方法を選択する処理である背景光反射方法選択処理を行う（Ｓ５（図１４）（光学特性設定処理））。この処理動作の詳細を図１８に示す。まず、編集表示パネル１６に背景光の反射パターン（反射方法）一覧を表示して（Ｓ５０）、利用者Ｕに背景光の反射パターンを選択させる（Ｓ５１）。
【０１４０】
次に、選択された背景光の反射パターンに、背景光反射装置７３を移動または回転させて変更する（Ｓ５２）。
【０１４１】
そして、撮影装置１５が撮影するライブビュー画像を編集表示パネル１６に表示して、表示結果を利用者Ｕが確認する（Ｓ５３）。このとき、表示結果では不満足な場合には、ステップＳ５０に戻って上記の動作を繰り返す。一方、表示結果で満足な場合には、反射方法選択処理（Ｓ５（図１４））を終了して、元の処理動作に戻る。
【０１４２】
次に、図１４に示すように、背景の表示が決定された後、利用者Ｕは、編集表示パネル１６に表示される撮影画像を見ながら、所望のポーズをとり、所望のタイミングで「撮影開始ボタン」を押して撮影を行う（Ｓ６（撮影処理））。
【０１４３】
撮影終了後、撮影装置１５が撮影した撮影画像に対して、落書きなどの編集処理を行う（Ｓ７（編集処理））。なお、編集処理の内容については、上述した背景作成処理と同様であるので、説明を省略する。
【０１４４】
次に、プリント紙６８上での分割数または分割パターンを利用者Ｕに選択させ（Ｓ８）、選択された分割領域ごとに、ステップＳ７にて編集処理された編集画像が印刷されるように、プリンタ６７を制御して印刷を行う（Ｓ９）。このとき、利用者Ｕは、本体装置１１の側面に形成されたプリント排出口１９近くで、印刷されたプリント紙６８が排出されるまで待機する。印刷終了後、再びステップＳ１に戻って、上記動作を繰り返す。
【０１４５】
なお、ステップＳ６（撮影処理）を行うごとに、ステップＳ２〜Ｓ５の処理を繰り返してもよい。また、ステップＳ２〜Ｓ５の処理は、利用者Ｕが指定した順番で設定および設定変更を行ってもよい。
【０１４６】
上記写真プリントシステム１０は、パーソナルコンピュータ等の汎用のコンピュータをベースに構成できる。すなわち、写真プリントシステム１０は、その機能を実現するプログラムの命令を実行するＣＰＵ（ｃｅｎｔｒａｌ  ｐｒｏｃｅｓｓｉｎｇ  ｕｎｉｔ）、ブートロジックを格納したＲＯＭ（ｒｅａｄ  ｏｎｌｙ  ｍｅｍｏｒｙ）、上記プログラムを展開するＲＡＭ（ｒａｎｄｏｍ  ａｃｃｅｓｓ  ｍｅｍｏｒｙ）、上記プログラムおよび各種データベースを格納するハードディスク等の記憶装置（記録媒体）、キーボードやマウス等の入力機器、モニタ、スピーカ等の出力機器、外部のネットワークに接続するネットワーク接続機器が、内部バスによって接続されて構成されている。そして、写真プリントシステム１０の機能は、記憶装置に格納されたプログラムを必要に応じてＲＡＭに展開してＣＰＵで実行することでそれぞれ実現される。
【０１４７】
また、本発明の目的は、上述した機能を実現するソフトウエアである写真プリントシステムの制御プログラムのプログラムコード（実行形式プログラム、中間コードプログラム、ソースプログラム）をコンピュータで読み取り可能に記録した記録媒体を、システムあるいは装置に供給し、そのシステムあるいは装置のコンピュータ（またはＣＰＵやＭＰＵ、ＤＳＰ）が記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。
【０１４８】
具体的には、写真プリントシステム１０が備える背景表示制御部６１、背景光偏向制御部６３、背景光反射制御部７１は、写真プリントシステム１０のメモリ（図示せず）に格納された所定のプログラムを、マイクロプロセッサなどが実行することにより実現される。
【０１４９】
上記プログラムコードを供給するための記録媒体は、システムあるいは装置と分離可能に構成することができる。また、上記記録媒体は、プログラムコードを供給可能であるように固定的に担持する媒体であってもよい。そして、上記記録媒体は、記録したプログラムコードをコンピュータが直接読み取ることができるようにシステムあるいは装置に装着されるものであっても、外部記憶装置としてシステムあるいは装置に接続されたプログラム読み取り装置を介して読み取ることができるように装着されるものであってもよい。
【０１５０】
例えば、上記記録媒体としては、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５１】
また、上記プログラムコードは、コンピュータが記録媒体から読み出して直接実行できるように記録されていてもよいし、記録媒体から主記憶のプログラム記憶領域へ転送された後コンピュータが主記憶から読み出して実行できるように記録されていてもよい。
【０１５２】
さらに、システムあるいは装置を通信ネットワーク（インターネット、イントラネット等を含む）と接続可能に構成し、上記プログラムコードを通信ネットワークを介して供給してもよい。
【０１５３】
なお、プログラムコードを記録媒体から読み出して主記憶に格納するためのプログラム、および、通信ネットワークからプログラムコードをダウンロードするためのプログラムは、コンピュータによって実行可能にあらかじめシステムあるいは装置に格納されているものとする。
【０１５４】
上述した機能は、コンピュータが読み出した上記プログラムコードを実行することによって実現されるだけでなく、そのプログラムコードの指示に基づき、コンピュータ上で稼働しているＯＳなどが実際の処理の一部または全部を行うことによっても実現される。
【０１５５】
さらに、上述した機能は、上記記録媒体から読み出された上記プログラムコードが、コンピュータに装着された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行うことによっても実現される。
【０１５６】
また、写真プリントシステム１０は、通信ネットワークを介して、遠隔制御することも可能である。
【０１５７】
なお、本実施の形態は本発明の範囲を限定するものではなく、本発明の範囲内で種々の変更が可能であり、例えば、以下のように構成することができる。
【０１５８】
本発明の写真プリントシステムは、撮影手段（カメラ）、画像出力手段（プリンタ）を備え、さらに撮影手段から見て被写体の後方に、背景画像を表示する背景表示手段（ＬＥＤ微小光源等）と、背景表示手段からの光を撮影手段方向へ反射させる光反射手段（鏡などの反射板）を備えて構成されていてもよい。
【０１５９】
本発明の写真プリントシステムは、被写体を照明するための照明手段（ストロボ）、撮影手段（カメラ）、画像出力手段（プリンタ）を備え、撮影手段から見て被写体の後方に、照明手段からの光を撮影手段方向へ反射させる光反射手段（鏡などの反射板）を備えて構成されていてもよい。
【０１６０】
さらに、本発明の写真プリントシステムは、上記光反射手段が、該光反射手段の構造物に一体的に自己発光手段を併せ持つものであってもよい。
【０１６１】
さらに、本発明の写真プリントシステムは、上記光反射手段を移動させるための光反射移動手段を備えていてもよい。
【０１６２】
【発明の効果】
以上のように、本発明の写真プリントシステムは、被写体を撮影した画像をプリントする写真プリントシステムにおいて、上記被写体を撮影して上記画像を取得する撮影手段と、上記撮影手段から見て上記被写体の後方に設けられ、上記撮影手段へ光を反射する光反射手段と、を備える構成である。
【０１６３】
それゆえ、光反射手段による反射光を用いて背景を形成できるため、背景の表現バリエーションを広げることができる。また、光が拡散されるため、被写体の背景の光演出効果を高めることができる。したがって、背景が多種多様であり、かつ、背景と被写体との境界が自然である画像をプリント出力することが可能となるという効果を奏する。また、光源を擬似的に増やすことができるため、コストダウンを実現できるという効果を奏する。
【０１６４】
さらに、本発明の写真プリントシステムは、上記光反射手段は、光学特性が変更可能である。
【０１６５】
それゆえ、さらに、光反射手段の光学特性を変更することにより、反射光を変化させることができる。したがって、背景の光演出効果を高めるとともに、被写体の背景のバリエーションを広げることが可能となるという効果を奏する。
【０１６６】
さらに、本発明の写真プリントシステムは、上記光反射手段に光を照射する光照射手段をさらに備える構成である。
【０１６７】
それゆえ、さらに、背景の光演出効果を高めるとともに、被写体の背景のバリエーションを広げることが可能となるという効果を奏する。
【０１６８】
さらに、本発明の写真プリントシステムは、上記光照射手段は、上記光反射手段に光を照射する発光体と、該発光体を支持し、かつ、透光性を有する基体とを備えるとともに、上記被写体と上記光反射手段との間に設けられている構成である。
【０１６９】
それゆえ、さらに、被写体の背景として撮影される領域にも光照射手段の発光体を配設できるため、光反射手段による反射光を用いて、より自由度の高い背景を形成できる。また、発光体以外の基体の領域を自由にデザイン変更することができる。したがって、背景の光演出効果を高めるとともに、被写体の背景のバリエーションを広げることが可能となるという効果を奏する。
【０１７０】
さらに、本発明の写真プリントシステムは、上記発光体は、上記光反射手段に光を照射すると同時に、上記撮影手段への方向にも光を照射するものである。
【０１７１】
それゆえ、さらに、拡散されない直接光と拡散させた間接光とを重ね合わせて、背景を形成することができる。したがって、背景の光演出効果を高めるとともに、被写体の背景のバリエーションを広げることが可能となるという効果を奏する。
【０１７２】
さらに、本発明の写真プリントシステムは、上記撮影手段と上記光反射手段との間に、光の伝搬方向を変化させる光偏向手段をさらに備える構成である。
【０１７３】
それゆえ、さらに、光反射手段とともに光偏向手段を設けることで、光反射手段からの反射光に光偏向手段によって模様付けすることができる。したがって、背景の光演出効果を高めるとともに、被写体の背景のバリエーションを広げることが可能となるという効果を奏する。
【０１７４】
また、本発明のプリント紙ユニットは、上記の写真プリントシステムに搭載されるプリント紙ユニットであって、プリント用画像が印刷されるプリント紙と、当該プリント紙に関する識別情報を記録する識別媒体とを備えるとともに、上記写真プリントシステムが具備する識別情報読み取り手段によって、上記識別媒体から識別情報が読み取られ、その内容が確認された上で上記プリント紙に上記プリント用画像がプリントされるものである。
【０１７５】
それゆえ、写真プリントシステムにおいて指定されているプリント紙以外は使用できないように設定することが可能となるという効果を奏する。
【０１７６】
また、本発明の写真プリントシステムの制御方法は、被写体を撮影した画像をプリントする写真プリントシステムの制御方法であって、撮影手段から見て上記被写体の後方に設けられ、上記撮影手段へ光を反射する光反射手段の光学特性を設定する光学特性設定処理と、上記撮影手段により上記被写体を撮影して上記画像を取得する撮影処理と、を含む方法である。
【０１７７】
それゆえ、光反射手段による反射光を用いて背景を形成できるため、背景の表現バリエーションを広げることができる。また、光が拡散されるため、被写体の背景の光演出効果を高めることができる。したがって、背景が多種多様であり、かつ、背景と被写体との境界が自然である画像をプリント出力することが可能となるという効果を奏する。
【０１７８】
また、本発明の写真プリントシステムの制御プログラムは、コンピュータに上記写真プリントシステムの制御方法の各処理を実行させるコンピュータ・プログラムである。
【０１７９】
それゆえ、上記写真プリントシステムの制御方法を実現することができるという効果を奏する。
【０１８０】
また、本発明の写真プリントシステムの制御プログラムを記録したコンピュータ読み取り可能な記録媒体は、上記の各処理をコンピュータに実行させて、上記写真プリントシステムを制御する写真プリントシステムの制御プログラムを記録したコンピュータ読み取り可能な記録媒体である。
【０１８１】
それゆえ、上記写真プリントシステムの制御方法をコンピュータで実現することができるという効果を奏する。
【図面の簡単な説明】
【図１】本発明の一実施の形態である写真プリントシステムの概要を示す図であり、図１（ａ）は平面図であり、図１（ｂ）は側面図である。
【図２】図１（ａ）（ｂ）に示した写真プリントシステムを構成する本体装置の概要を示す正面図である。
【図３】図３（ａ）〜（ｄ）は、図１（ａ）（ｂ）に示した写真プリントシステムを構成する背景表示装置の構成例を示す正面図である。
【図４】図４（ａ）〜（ｄ）は、図１（ａ）（ｂ）に示した写真プリントシステムを構成する背景表示装置の構成例を示す正面図である。
【図５】図１（ａ）（ｂ）に示した写真プリントシステムを構成する背景表示装置の構成例を示す正面図である。
【図６】図１（ａ）（ｂ）に示した写真プリントシステムの撮影装置により撮影された撮影画像を示す説明図である。
【図７】図１（ａ）（ｂ）に示した写真プリントシステムの背景光偏向装置の構成例を示す説明図である。
【図８】図８（ａ）は図１（ａ）（ｂ）に示した写真プリントシステムの背景表示装置から出射される画像を示す説明図であり、図８（ｂ）は背景光偏向装置から出射される画像を示す説明図である。
【図９】図１（ａ）（ｂ）に示した写真プリントシステムを構成する背景装置の構成例を示す側面図である。
【図１０】図１０（ａ）〜（ｄ）は、図１（ａ）（ｂ）に示した写真プリントシステムを構成する背景光反射装置の構成例を示す説明図である。
【図１１】図１１（ａ）（ｂ）は、図１（ａ）（ｂ）に示した写真プリントシステムを構成する背景光反射装置の構成例を示す説明図である。
【図１２】図１２（ａ）（ｂ）は、図１（ａ）（ｂ）に示した写真プリントシステムを構成する背景光反射装置の構成例を示す説明図である。
【図１３】図１（ａ）（ｂ）に示した写真プリントシステムの概略構成を示すブロック図である。
【図１４】図１（ａ）（ｂ）に示した写真プリントシステムにおける処理の流れを示すフローチャートである。
【図１５】図１４に示した背景作成・選択処理の詳細を示すフローチャートである。
【図１６】図１４に示した背景表示方法選択処理の詳細を示すフローチャートである。
【図１７】図１４に示した背景光偏向方法選択処理の詳細を示すフローチャートである。
【図１８】図１４に示した背景光反射方法選択処理の詳細を示すフローチャートである。
【符号の説明】
１０    写真プリントシステム
１５    撮影装置（撮影手段）
１８    プリント出力装置（画像出力手段）
２２    照明装置（光照射手段）
３０    背景表示装置（光照射手段）
３１    背景光偏向装置（光偏向手段）
４０，４１    ＬＥＤ（発光体）
４２〜４５，４８    基体
４７    無端状ベルト（基体）
６５    ＩＤタグリーダ／ライタ（識別情報読み取り手段）
６６    ＩＤタグ（識別媒体）
６７    プリンタ（画像出力手段）
６８    プリント紙
７３    背景光反射装置（光反射手段）
７４    演出用照明装置（光照射手段）
７５    ミラーボール（光反射手段）
Ｕ    利用者（被写体）
Ｓ５    光学特性設定処理
Ｓ６    撮影処理
【図１】
2004219670.tif 000003
【図２】
2004219670.tif 000004
【図３】
2004219670.tif 000005
【図４】
2004219670.tif 000006
【図５】
2004219670.tif 000007
【図６】
2004219670.tif 000008
【図７】
2004219670.tif 000009
【図８】
2004219670.tif 000010
【図９】
2004219670.tif 000011
【図１０】
2004219670.tif 000012
【図１１】
2004219670.tif 000013
【図１２】
2004219670.tif 000014
【図１３】
2004219670.tif 000015
【図１４】
2004219670.tif 000016
【図１５】
2004219670.tif 000017
【図１６】
2004219670.tif 000018
【図１７】
2004219670.tif 000019
【図１８】
2004219670.tif 000020